(57)【要約】【課題】フラットケーブルとバスバーの溶接に当たっての位置決めが精度よく行えるようにして、溶接不良の発生を抑制する。【解決手段】フラットケーブル１１の長手方向に延びる縁に切欠き形成された係合凹部５１と、バスバー３１を保持するモールド部３２における前記係合凹部５１に対応する部位に形成された係合凸部５２との係合によりフラットケーブル１１及びバスバー３１相互間の面方向での位置決めがなされたのちにフラットケーブル１１とバスバー３１の間で溶接による接続がなされるフラットケーブルとバスバーの接続構造において、フラットケーブル１１の一方の縁に形成された前記係合凹部５１と係合凸５２を平面視アリ溝形状にして、フラットケーブル１１の幅方向に対して交差するとともに、係合凹部５１と係合凸部５２が離間するときには抜け止めとなる方向に傾斜する傾斜面５１ａ，５２ａを形成する。【選択図】図２
2011210417.tif 000002
【特許請求の範囲】
【請求項１】
フラットケーブルの長手方向に延びる縁に切欠き形成された係合凹部と、バスバーを保持する保持部材における前記係合凹部に対応する部位に形成された係合凸部との係合によりフラットケーブル及びバスバー相互間の面方向での位置決めがなされたのちにフラットケーブルとバスバーの間で接続がなされるフラットケーブルとバスバーの接続構造であって、
前記係合凹部と係合凸部には、フラットケーブルの幅方向に対して交差するとともに、係合凹部と係合凸部が離間するときには抜け止めとなる方向に傾斜する傾斜面が形成された
フラットケーブルとバスバーの接続構造。
【請求項２】
前記傾斜面を有する係合凹部と係合凸部が、フラットケーブルの長手方向に延びる一方の縁、またはこれに対応する部位に設けられた
請求項１に記載のフラットケーブルとバスバーの接続構造。
【請求項３】
異なる方向に傾斜する一組の前記傾斜面が、１個の前記係合凹部及び／又は前記係合凸部に形成された
請求項１または請求項２に記載のフラットケーブルとバスバーの接続構造。
【請求項４】
異なる方向に傾斜する一組の前記傾斜面が、フラットケーブルの長手方向に沿って並ぶ複数個の係合凹部および係合凸部に分割して形成された
請求項１または請求項２に記載のフラットケーブルとバスバーの接続構造。
【発明の詳細な説明】
【技術分野】
【０００１】
この発明は、フラットケーブルをバスバーに接続するためのフラットケーブルとバスバーの接続構造に関し、より詳しくは、フラットケーブルとバスバーとの間の溶接による接続前の位置決めが精度よく行えるようなフラットケーブルとバスバーの接続構造に関する。
【背景技術】
【０００２】
フラットケーブルとバスバーの位置決めを行う構造として下記特許文献１に開示されたものがある。
【０００３】
これは、フラットケーブルの先端部から少し下がった位置に、ラミネート部分を除去した溶接用開口が適宜長さ形成され、この溶接用開口を挟むラミネート部分の縁が嵌るストッパ部を、バスバーを保持しているモールド部に備えた構造である。すなわち、ストッパ部が溶接用開口の長手方向での位置決めを行う。しかし、溶接用開口は前記のようにラミネート部分を全体的に切除して形成されているので、フラットケーブルにおける両側の平角導体とストッパとの間には隙間が存在し、フラットケーブルの幅方向においてはストッパ部による位置決めはなされない。
【０００４】
このため、図１４に示したように、ラミネート部分を全体的に切除せずに、フラットケーブル１０１の長手方向に延びる縁の一部を四角く切り欠くことがなされている。すなわち、四角い切欠きからなる係合凹部１０２がフラットケーブル１１に設けられ、この係合凹部１０２に係合する平面視長方形をなす係合凸部１０３がモールド部１０４に形成されている。
【０００５】
しかし、モールド部１０４にフラットケーブル１０１が常に嵌るようにしなければならないため、モールド部１０４やフラットケーブル１０１の製品としての必然的な寸法のばらつきの大きさを考慮すると、モールド部１０４とフラットケーブル１０１の各部の公差分を加算して各部の寸法を大きく形成しなくてはならない。
【０００６】
具体的には、図１５に示したように、フラットケーブル１０１の幅Ｗ１に対してモールド部１０４の溝の幅Ｗ２を大きくしなくてはならない。このような関係は、係合凸部１０３と係合凹部１０２との間でも同様である。このため、図１５に模式的に示したように、モールド部１０４の溝の幅Ｗ２が、大きめに設定された公差の範囲内で大きく、逆に、フラットケーブル１０１の幅Ｗ１が、大きめに設定された公差の範囲内で小さく、さらに、フラットケーブル１０１の幅Ｗ１から係合凹部１０２の幅Ｗ３を引いた幅Ｗ４が、大きめに設定された公差の範囲内で小さい場合には、フラットケーブル１０１の長手方向Ｘにおける位置決めはできても、フラットケーブル１０１の幅方向Ｙにおける位置関係ではあそびが大きくなる。
【０００７】
しかも、係合凹部１０２と係合凸部１０３は、平面視長方形をなし、あそびが大きい場合にはフラットケーブル１０１の幅方向Ｙでの位置ずれを許容してしまう形状である。
【０００８】
この結果、モールド部１０４とフラットケーブル１０１の各部の寸法は公差範囲内であっても、フラットケーブル１０１の幅方向Ｙでの位置が定まらず、しかもその位置ずれが大きい場合がある。つまり、図１４に示したように、溶接に際して溶接位置を決めるための基準を、たとえばモールド部１０４の一方の縁の係合凸部１０３の頂面位置１０５とした場合、その位置からの溶接位置が、本来の溶接位置からずれてしまうことになる。フラットケーブル１０１における溶接されるべき位置にはラミネートを除去した開口１０６が形成されているため、この開口１０６位置で溶接が行われなければならないが、幅方向での位置ずれが大きいと、開口１０６のない部分で溶接をしてしまうことになりかねない。
【０００９】
このような不都合は、フラットケーブル１０１の平角導体１０７（図１４参照）が狭ピッチ配置の場合に顕著にあらわれる。
【００１０】
フラットケーブルの幅方向Ｙにおける相対位置ずれ許容値は、フラットケーブルの寸法によって異なるが、小さい場合には百μｍ程度から〜数十μｍ程度しかないほど厳格である。
【先行技術文献】
【特許文献】
【００１１】
【特許文献１】特開２０００−３４０３２７号公報
【発明の概要】
【発明が解決しようとする課題】
【００１２】
そこで、この発明は、溶接前のバスバーに対するフラットケーブルの位置決めを精度よく行って、不良の発生を抑制できるようにすることを主たる目的とする。
【課題を解決するための手段】
【００１３】
そのための手段は、フラットケーブルの長手方向に延びる縁に切欠き形成された係合凹部と、バスバーを保持する保持部材における前記係合凹部に対応する部位に形成された係合凸部との係合によりフラットケーブル及びバスバー相互間の面方向での位置決めがなされたのちにフラットケーブルとバスバーの間で接続がなされるフラットケーブルとバスバーの接続構造であって、前記係合凹部と係合凸部には、フラットケーブルの幅方向に対して交差するとともに、係合凹部と係合凸部が離間するときには抜け止めとなる方向に傾斜する傾斜面が形成されたフラットケーブルとバスバーの接続構造である。
【００１４】
前記傾斜面は、前記係合凹部と係合凸部が複数ある場合には、そのすべてに形成される必要はなく、一部の係合凹部と係合凸部とに形成されればよい。
【００１５】
係合凹部と係合凸部の傾斜面が、フラットケーブルの幅方向に対して交差するとともに、係合凹部と係合凹部が離間するときには抜け止めとなる方向に傾斜するので、フラットケーブルの幅方向の位置決めができ、あそびが生じにくく、あそびが生じたとしてもその程度が小さい。また、フラットケーブルの幅方向の一方側を基準にした位置決めも可能で、この基準を溶接作業の基準と合わせることで、後の溶接が正しく行えるようになる。
【発明の効果】
【００１６】
この発明によれば、係合凹部と係合凸部の傾斜面により、溶接前のバスバーに対するフラットケーブル位置決めを精度よく行える。このため、不良の発生を抑制できる。
【図面の簡単な説明】
【００１７】
【図１】フラットケーブルとバスバーの接続構造の平面図。
【図２】フラットケーブルとバスバーの分離状態の平面図。
【図３】図１におけるＡ−Ａ断面図とＢ−Ｂ断面図。
【図４】バスバーとモールド部の斜視図。
【図５】係合凹部と係合凸部の係合状態を示す平面図。
【図６】係合凹部と係合凸部の他の例を示す平面図。
【図７】他の例に係るフラットケーブルとバスバーの接続構造の平面図。
【図８】他の例に係るフラットケーブルとバスバーの接続構造の平面図。
【図９】留め部材の斜視図と断面図。
【図１０】留め部材とその作用状態を示す断面図。
【図１１】他の例に係るモールド部の部分平面図。
【図１２】他の例に係る留め部材の作用状態を示す断面図。
【図１３】他の例に係る留め部材とその作用状態を示す断面図。
【図１４】従来のフラットケーブルとバスバーの接続構造の平面図。
【図１５】従来技術の説明図。
【発明を実施するための形態】
【００１８】
この発明を実施するための一形態を、以下図面を用いて説明する。  
図１は、フラットケーブル１１とバスバー３１の接続構造を示す平面図、図２は接続前のフラットケーブル１１とバスバー３１の分離状態の平面図、図３（ａ）は図１におけるＡ−Ａ断面図、図３（ｂ）は図１におけるＢ−Ｂ断面図である。
【００１９】
これらの図に示すように、フラットケーブル１１とバスバー３１は、フラットケーブル１１の平角導体１２とバスバー３１とが相互に溶接で接続されている部分の周辺において、位置決めと固定がなされている。位置決めは、前記溶接をする前段においてフラットケーブル１１とバスバー３１の相対位置を定めるために行われ、固定は、その定めた相対位置を保持して溶接が所望通りに行えるようにするとともに、溶接後に溶接部分に負荷がかかったりすることを防止するために行われる。
【００２０】
まず、フラットケーブル１１とバスバー３１の概略構造について簡単に説明した後、つぎに、位置決めのための構成について説明し、続いて、固定のための構成について説明する。
【００２１】
フラットケーブル１１は、複数本の平角導体１２が隙間を隔てて平行に並んだ状態にラミネート１３で被覆された構造である。幅方向の両側縁には、平角導体１２のない耳部１４を有する。そして、先端側の接続部分１５における適宜位置には、平角導体１２をバスバー３１と溶接するためにラミネート１３を切除した窓部１６が形成されている。
【００２２】
バスバー３１は、保持部材としてのモールド部３２にインサート成形により保持されている。バスバー３１は複数本備えられ、前記平角導体１２と同様に隙間を隔てて平行に並ぶようにモールド部３２に保持されている。図４がそのバスバー３１を保持したモールド部３２の斜視図であり、平面視略横なが長方形をなす略厚板状に形成され、バスバー３１は、接続端子部３１ａとなる一端側がモールド部３２の幅方向の一方（図示例では上方）の側面から突出するように保持されている。
【００２３】
そして、モールド部３２の幅方向の中間には、幅方向両側の堤部（第１堤部３３、第２堤部３４）よりも低い保持溝部３５が形成されている。保持溝部３５の底には並設されたバスバーが露出している。
【００２４】
なお、図示例では、フラットケーブル１１とバスバー３１を直交させた接続構造を示したが、一直線上に並ぶ接続構造などであってもよい。
【００２５】
つぎに前記位置決めのための構成について説明する。  
前記位置決めのための構成は、フラットケーブル１１の長手方向に延びる縁である前記耳部１４に切欠き形成された係合凹部５１と、バスバー３１を保持する前記モールド部３２に形成された係合凸部５２とで構成される。すなわち、これら係合凹部５１と係合凸部５２が係合することによりフラットケーブル１１及びバスバー３１相互間の面方向での位置決めがなされる。
【００２６】
前記係合凹部５１は、図１、図２に示したように、前記接続部分１５における両側縁の耳部１４に形成される。係合凹部５１の形成位置と個数は、モールド部３２の保持溝３５に嵌めたときに保持溝３５に収まればよいので、前記接続部分１５に収まる範囲内で適宜設定される。図示例においては、両側縁に２個ずつの係合凹部５１が形成された例を示す。
【００２７】
これら係合凹部５１のうち、フラットケーブル１１の幅方向の一方（前記バスバー３１の接続端子部３１ａが延びる方向の第１堤部３３に対向する側）の係合凹部５１は、平面視長方形に切欠かれて形成されている。
【００２８】
これに対して、フラットケーブル１１の幅方向の他方（前記バスバー３１の接続端子部３１ａが延びる方向とは反対の第２堤部３４に対向する側）の係合凹部５１は、平面視アリ溝形状または逆台形に切欠かれて形成される。
【００２９】
つまり、この、フラットケーブル１１の幅方向の他方（前記バスバー３１の接続端子部３１ａが延びる方向とは反対の第２堤部３４に対向する側）の係合凹部５１は、フラットケーブル１１の幅方向に対して交差するとともに、係合凹部５１と係合凸部５２がフラットケーブル１１の幅方向に離間するときには抜け止めとなる方向に傾斜する傾斜面５１ａを有する。係合凹部５１は、平面視アリ溝形状または逆台形をなすので、前記傾斜面５１ａは、異なる方向に傾斜する２つの傾斜面５１ａということになり、これらを一組の傾斜面５１ａと想定すると、この一組の傾斜面５１ａが一つの係合凹部５１に形成されたことになる。
【００３０】
前記係合凸部５２は、前記係合凹部５１を有したフラットケーブル１１の接続部分１５をモールド部３２の保持溝３５に対して上から嵌めたときに、係合凹部５１と係合するものである。すなわち、モールド部３２の第１堤部３３の保持溝３５側の側面には、平面視横なが長方形をなす直方体形状の係合凸部５２が形成されている。また、モールド部３２の第２堤部３４の保持溝３５側の側面には、平面視アリ溝形状または逆台形の係合凸部５２が形成されている。
【００３１】
つまり、この、第２堤部３４に形成された係合凸部５２は、フラットケーブル１１の幅方向に対して交差するとともに、係合凹部５１と係合凸部５２がフラットケーブル１１の幅方向で離間するときには抜け止めとなる方向に傾斜する傾斜面５２ａを有する。係合凸部５２は、平面視アリ溝形状または逆台形をなすので、前記傾斜面５２ａは、異なる方向に傾斜する２つの傾斜面５２ａということになり、これらを一組の傾斜面５２ａと想定すると、この一組の傾斜面５２ａが一つの係合凸部５２に形成されたことになる。
【００３２】
係合凹部５１と係合凸部５２の傾斜面５１ａ，５２ａの角度は同一である。
【００３３】
これらのような係合凹部５１と係合凸部５２の係合状態を拡大して示すと、図５のようになる。係合凹部５１と係合凸部５２が係合するのでフラットケーブル１１の長手方向（図５中、矢印Ｘ方向）には相対位置のずれがないのはもちろんのこと、係合凹部５１と係合凸部５２は相対向する傾斜面５１ａ，５２ａを有するので、係合後はフラットケーブル１１の幅方向（図５中、矢印Ｙ方向）で抜けることはない。しかも、フラットケーブル１１の幅方向でのあそびが生じにくく、あそびが生じたとしてもその程度が小さい。
【００３４】
また、前記のように、傾斜面５１ａ，５２ａを有する係合凹部５１と係合凸部５２が、フラットケーブル１１の長手方向に延びる一方（第２堤部３４側）の縁、またはこれに対応する部位に設けられているので、係合凹部５１と係合凸部５２との係合により抜けないことによって、フラットケーブル１１を一方に寄せた状態で位置決めができることになる。
【００３５】
なお、図６（ａ）に示したように、相互に係合する係合凹部５１と係合凸部５２のうち、係合凹部５１の傾斜面５１ａを２つではなく１つとすることもできる。逆に、図６（ｂ）に示したように、係合凸部５２の傾斜面５２ａを１つとすることもできる。また、たとえば図６（ｃ）に示したように、２つ以上の傾斜面５１ａ，５２ａを係合凹部５１と係合凸部５２に備えることも可能である。
【００３６】
さらに、図７に示したように、係合凹部５１と係合凸部５２は、前記傾斜面５１ａ，５２ａを有した係合凹部５１と係合凸部５２のみで構成することもできる。
【００３７】
このほか、図８に示したように、異なる方向に傾斜する一組の傾斜面５１ａ，５２ａが、フラットケーブル１１の長手方向に沿って並ぶ複数の係合凹部５１および係合凸部５２に分割して形成されたものであってもよい。具体的には、長手方向に沿って並ぶ２個の係合凹部５１と係合凸部５２の相反する方向の一方の側面に、傾斜面５１ａ，５２ａが形成されている。長手方向に沿って並ぶ２個の係合凹部５１と係合凸部５２の相対向する一方の側面に形成することもできる。
【００３８】
さらに、前記係合凹部５１と係合凸部５２における相互に対向する傾斜面５１ａ，５２ａの角度は、同一でなくともよい。
【００３９】
続いて前記固定のための構成について説明する。  
前記固定のための構成は、フラットケーブル１１の先端側の接続部分１５よりも基部側で前記モールド部３２に重合する部位に、固定される留め部材７１で構成される。この留め部材７１は、前記フラットケーブル１１の先端側の接続部分１５よりも基部側で前記モールド部３２に重合する部位を前記モールド部３２に対して上から押え付ける押圧部７２と、該押圧部７２両端におけるフラットケーブル１１の幅方向外側を挟む位置に垂設されてモールド部３２の下部において前記押圧部７１が外れないように変形される変形脚部７３とを有する。
【００４０】
前記押圧部７２と変形脚部７３を有する留め部材７１は、適宜の金属製で、線状体または帯状体を折曲して形成され、全体として図９（ａ）の斜視図に示したように正面視横コ字状または門型をなす。そして、その断面形状は長手方向全体にわたって同一で、図９（ｂ）に示したように略長方形をなし、フラットケーブル１１に接する側の角には角アール部７４が形成されている。これは、フラットケーブル１１のラミネート１３の破れや傷つきを防止するためである。
【００４１】
図９（ｃ）に示したように樹脂の被覆等により緩衝層７５を形成してもよく、この場合には、図９（ｄ）のように角アール部７４を省略することもできる。
【００４２】
前記押圧部７２は、フラットケーブル１１の幅よりも若干長く形成され、前記変形脚部７３は、変形したときにモールド部３２の下部において湾曲し、先端部が所望位置に達する適宜長さになるように形成されている。そして、これら押圧部７２と変形脚部７３の間には湾曲部７６を有する。
【００４３】
一方、この留め部材７１を固定する対象である前記モールド部３２には、図２、図３に示したように前記保持溝３５の長手方向の一方側から横に張り出す突出部３６が形成され、この突出部３６に前記変形脚部７３を変形させる型溝部３７が一体に形成されている。型溝部３７は、図３、図４に示したように幅方向両側に形成され、真っ直ぐな変形脚部７３を受け入れる竪穴３７ａと、この竪穴３７ａの下端から湾曲して幅方向の内側に入り込む第１湾曲部３７ｂと、この第１湾曲部３７ｂから続いて折り返すように湾曲する第２湾曲部３７ｃを有する。この型溝部３７は、変形脚部７３の先端部がフラットケーブル１１の幅方向の中間側に位置するように形成されるとよい。フラットケーブル１１の幅方向中間側の位置においても積極的な保持力を発揮できるからである。
【００４４】
また、モールド部３２における前記留め部材７１が固定される部位の上面、すなわち前記保持溝３５の底面に連なる突出部３６の上面における前記型溝部３７に挟まれる位置（留め部材を固定する部位）には、図３（ｂ）、図４に示したように、留め部材７１よりも幅広の支持溝部３８が形成されている。この支持溝部３８は、留め部材７１による締め付けを強力に発揮させるためのものである。支持溝部３８の深さは、極浅くてよい。支持溝部３８の両端には面取り部３８ａが形成される。
【００４５】
このような型溝部３７等を有する突出部３６を有するので、図１０に示したようにフラットケーブル１１をモールド部３２の所定位置に位置決めした後、留め部材７１をモールド部３２の型溝部３７の竪穴３７ａに挿入した状態で、上型９１を下ろして加圧し、留め部材７１を押し込めば、仮想線で示したように留め部材７１の変形脚部７３は型溝部３７の形状に沿って変形し、モールド部３２に固定される。そして、留め部材７１の押圧部７２がフラットケーブル１１を押え付けた状態が得られる。
【００４６】
なお、図１１に示したように、モールド部３２における留め部材７１を固定する部位に、前記変形脚部７３が入るとともにフラットケーブル１１の長手方向においての留め部材７１の位置ずれを防止する脚部保持溝３９が形成されると、上型９１による加圧時に、留め部材７１の不測の傾きなどの位置ずれを防止できるのでよい。
【００４７】
また、図１２に示したように、モールド部３２の型溝部３７を省略することもできる。すなわち、前記突出部３６は型溝部３７がないぶん薄く形成され、下面は平坦などの適宜の形状に形成される。型溝部３７を持たない場合には、図１３に示したように、別体の上型９１と下型９２によって留め部材７１を加圧して変形脚部７３の変形を行うと、前記と同様にフラットケーブル１１の固定が行える。
【００４８】
このように構成されたフラットケーブル１１とバスバー３１の接続構造においてフラットケーブル１１とバスバー３１の接続を行うには、まず、図２に示したように係合凹部５１と窓部１６が形成されたフラットケーブル１１の接続部分を、保持溝３５と係合凸部５２と突出部３６と型溝部３７と支持溝部３８が形成されたモールド部３２の保持溝３５に対して上から嵌める。係合凹部５１と係合凸部５２が係合しあうことにより、図１、図５に示したようにフラットケーブル１１の幅方向の一方側（第２堤部３４側）の係合凹部５１と係合凸部５２が相互に対向する傾斜面５１ａ，５２ａを有するため、幅方向に抜けないようになる。つまり、フラットケーブル１１は傾斜面５１ａ，５２ａを有する係合凸部５２によって拘束され、保持溝３５内でのフラットケーブル１１のあそびの発生を抑えることができる。
【００４９】
この結果、フラットケーブル１１の長手方向では勿論のこと、幅方向においても精度よく位置決めができる。
【００５０】
しかも、フラットケーブル１１をモールド部３２の一方側に寄った位置で拘束するので、溶接の基準とあわせることによって、あらかじめ形成した窓部１６における溶接を確保できる。この点で、適正な溶接を可能にし、不良の発生を抑えられる。
【００５１】
特に、前記のような傾斜面５１ａを有する係合凹部５１と、傾斜面５２ａを有する係合凸部を備えるので、フラットケーブル１１とモールド部３２の各部の寸法が公差内であってもフラットケーブル１１の幅方向での位置が定まらないというような不都合はなく、適正な溶接が確実に行える。
【００５２】
次に、モールド部３２に対してこのような位置決め状態が得られたフラットケーブル１１を、図３、図１０に示したような留め部材７１の固定により前記の位置決め状態を保持する。すなわち、傾斜面５１ａ，５２ａを有した係合凹部５１と係合凸部５２によって位置決めがなされているフラットケーブル１１の上から、フラットケーブル１１を跨ぐようにして留め部材７１をモールド部３２の型溝部３７に打ち込む。フラットケーブル１１の位置決めは精度よくなされているので、留め部材７１の固定は単に打ち込むだけで行え、簡単である。これにより、前記のごとく留め部材７１の変形脚部７３は変形して、留め部材７１の押圧部７２がフラットケーブル１１を押え付けた状態を保持することができる。この留め部材７１は、部材を単に嵌め込んだりするのとは異なり、一部（変形脚部７３）を機械的に変形させて、しかもフラットケーブル１１を抱きかかえるように拘束するので、高い保持力を有し、前記位置決め状態を確実に保持することができる。
【００５３】
この結果、フラットケーブル１１の位置ずれを効果的に抑制することができ、続く溶接工程での溶接を所望通りに正確に行わせることが可能となる。そのうえ、留め部材７１はフラットケーブル１１を抱きかかえるように保持し、保持力も高いので、フラットケーブル１１における留め部材７１よりも基端側と先端側との間の負荷の伝達を遮断することができる。つまり、留め部材７１は接続部分１５よりも基部側に位置するため、溶接工程やその後の工程におけるハンドリング時にフラットケーブル１１の留め部材７１よりも基端側にかかる外力によってひきつれ等が発生しても接続部分１５が不用意に動くことを防止でき、溶接する部位や溶接した部位に負荷がかかることを抑制する。
【００５４】
したがって、溶接が適正に行える上にその部分の保護も可能であって、製造工程における不良発生率を大幅に低減できる。
【００５５】
また、従来の押え部材のように樹脂成形品を使用しないため、金型費用を抑えることができ、コスト削減が可能である。
【００５６】
さらに、留め部材７１は、型で押すだけで機械的に容易に固定できるので、従来の押え部材を挿し込んで固定するときとは異なり、作業に手間がかからない。しかも、フラットケーブル１１とモールド部３２との位置関係を正しく規制した状態で留め部材７１を加圧するだけであるので、係合凹部５１と係合凸部５２で位置決めした状態を保持した状態のままで固定が行える。
【００５７】
加えて、従来の押え部材では手で挿し込むので小型化にも限界があったが、留め部材７１は機械的に保持され加圧することができるので、留め部材７１は小さくてもよい。このため、フラットケーブル１１の狭ピッチ化やモールド部３２の小型化が進んでも対応できる有益な接続構造である。
【００５８】
以上のように、精度の高い位置決めと、保持力の高い固定がなされる。そして、係合凹部５１と係合凸部５２による位置決めは留め部材７１による固定を容易にし、留め部材７１による固定は係合凹部５１と係合凸部５２による位置決めを効果あるものとする。
【００５９】
このような位置決めと固定の協働により、フラットケーブル１１の平角導体１２とバスバー３１との溶接が適正に行える上に、その溶接部分が製造工程における取り扱いによって悪影響を受けないようにフラットケーブル１１の接続部分１５を強固に保持でき、優良な製品を得られる。しかも、位置決め固定のための構成は前記のように簡素な構成であるので、位置決めや固定の作業は容易であり、作業の手間や材料費がかからないことからコストを抑えることもできる。
【００６０】
この発明の構成と、前記一形態の構成との対応において、  
この発明の保持部材は、前記モールド部３２に対応するも、  
この発明は前記の構成のみに限定されるものではなく、その他の構成を採用することもできる。
【符号の説明】
【００６１】
１１…フラットケーブル
３１…バスバー
３２…モールド部
５１…係合凹部
５１ａ…傾斜面
５２…係合凸部
５２ａ…傾斜面
【図１】
2011210417.tif 000003
【図２】
2011210417.tif 000004
【図３】
2011210417.tif 000005
【図４】
2011210417.tif 000006
【図５】
2011210417.tif 000007
【図６】
2011210417.tif 000008
【図７】
2011210417.tif 000009
【図８】
2011210417.tif 000010
【図９】
2011210417.tif 000011
【図１０】
2011210417.tif 000012
【図１１】
2011210417.tif 000013
【図１２】
2011210417.tif 000014
【図１３】
2011210417.tif 000015
【図１４】
2011210417.tif 000016
【図１５】
2011210417.tif 000017